(57)【要約】      （修正有）【課題】簡便に腹筋運動が行え、コストも低い腹筋用の座椅子構造を提供する。【解決手段】シート１、背部２及びシートの前方に組み立てられる位置決めユニット３により構成される。位置決めユニットは第一束帯４０、第二束帯及び一つの位置決めローラー６０からなる。第一束帯は、一端が、シートの一側のねじ穴に締め付けられ、他端が位置決めローラーと結合される。第二束帯はオスバックル５３及びメスバックル５４を用いて、第一ベルト５１及び第二ベルト５２を組み立ててなり、一端は、シートの他側のねじ穴に締め付けられ、他端は位置決めローラーと結合される。位置決めローラーは使用者の腿を押さえる部材であり、座椅子に座るときに、位置決めユニットで、腿をしっかりとしめて下半身をシートに固定するので、腹筋運動を行うことができる。【選択図】図１
0003193499.tif 000002
【実用新案登録請求の範囲】
【請求項１】
主にシート及び背部により構成される腹筋用の座椅子の構造改良であって、座椅子の両側にはそれぞれねじ穴が設けられて位置決めユニットの両端を固定しており、該位置決めユニットは第一束帯、第二束帯及び位置決めローラーからなり、第一束帯の一端には、第一継ぎ手が設けられて、スクリューが継ぎ手のインナーエッジに挿入された後、シートの一側のねじ穴に締め付けられており、他端には、第二継ぎ手が設けられ、位置決めローラーの対応する末端と結合され、かつ中央位置には、長さを調整する調整ユニットが設置され、第二束帯の一端には第三継ぎ手が設けられて、スクリューがインナーエッジに挿入された後、シートの他側のねじ穴に締め付けられており、他端には第四継ぎ手が設けられて、該位置決めローラーの対応する末端と結合され、その一端の中段には、長さを調整する調整ユニットが設置されており、位置決めローラーは使用者のももを押さえてくれる部材であり、その二つ末端には、締め付け部が形成され、第二継ぎ手、第四継ぎ手と結合することができ、使用者が座椅子に座る際、位置決めユニットにより、腿をしっかりとしめて、使用者の下半身をシートに固定するので、使用者が腹筋運動を行うことができることを特徴とする腹筋用の座椅子の構造改良。   
【請求項２】
前記位置決めローラーの両端における締め付け部はねじ穴の構造であり、これにより、二本のスクリューが第二、第四継ぎ手のインナーエッジに挿入された後、対応する締め付け部に締め付けられて、第一束帯、第二束帯が位置決めローラーと結合することを特徴とする請求項１に記載の腹筋用の座椅子の構造改良。
【請求項３】
前記第二束帯は第一ベルト、第二ベルト、オスバックル及びメスバックルにより構成され、第一ベルトの一端には、第三継ぎ手が設けられ、他端はメスバックルと結合し、第二ベルトの一端には、第四継ぎ手が設けられ、他端はオスバックルと結合し、第二ベルトの中央に、調整ユニットを設置し、また、メスバックルのインナーエッジには、挿入溝及び弾性を持つ作動できるバックルプレートが形成され、オスバックルのインナーエッジには、バックルホールが形成されており、オスバックルをメスバックルの挿入溝に入れる際、バックルプレートがバックルホールに係合して固定され、、第二ベルトの分離または結合によって、使用者が便利に位置決めユニットを操作して、腿を固定することを特徴とする請求項１に記載の腹筋用の座椅子の構造改良。
【考案の詳細な説明】
【技術分野】
【０００１】
本考案は和式座椅子の構造に関し、特に、腹筋運動の付加機能を持つ座椅子の構造改良に関することである。
【背景技術】
【０００２】
座椅子には、多くの種類が存在し、ソファー、寝椅子、レジャーチェア、和椅子、オフィスチェアなどが挙げられる。時代の進歩に伴って、座椅子の機能は使用者がその上にすわるだけでなく、運動の付加機能までもある。図７に示すように、従来の座椅子（９０）では、前方傾斜止め部（９１）の位置に、T字形の足押さえバー（９２）が突出するように設けられる。足押さえバー（９２）は上下に伸縮し、調整可能である。バーの下方には、座椅子との接続箇所の角度をつけて折り畳むことが可能である。バーの上端両側のアウターエッジには、保護カバー（９３）がはめられて設置される。そして、使用者が座椅子に座り、足押さえバー（９２）の両側で、腿を押さえると、腹筋運動が出来る構造になっている。
【考案の概要】
【考案が解決しようとする課題】
【０００３】
しかしながら、 従来の足押さえバー（９２）を座椅子に設置することにより、製造コストが相当に上がる。また、足押さえバー（９２）が座椅子の傾斜止め部（９１）の中央部分に設置される事になるので、収納の際、使用者が腿を動かしたり、腹筋運動を行っているときに、いつも足押さえバー（９２）に当たってしまい、座椅子の快適性が損なわれる恐れもある。
【０００４】
本案の主な目的は腹筋用の座椅子の構造を改良することにある。使用者は簡単かつ精巧の座椅子構造を用いることで、簡便に腹筋運動が行える。構造を改良することで、腹筋運動機能を付加する座椅子のコストを削減するだけでなく、使用者が座椅子に座る際、もっと快適な感じをすると共に、シットアプももっと利便になる。
【課題を解決するための手段】
【０００５】
上述した課題を解決し、目的を達成するために、本案の腹筋用の座椅子の構造改良 はシート、背部及び位置決めユニットで構成される。背部はシートの後方に取り付けられる。座椅子の前方の両側には、それぞれねじ穴が設けられて、位置決めユニットの両端を固定する。該位置決めユニットは第一束帯、第二束帯及び位置決めローラーからなる。第一束帯の一端には、第一継ぎ手が設けられて、スクリューが継ぎ手のインナーエッジに挿入された後、シートの一側のねじ穴に 締め付けられる。他端には、第二継ぎ手が設けられ、位置決めローラーの対応する末端と結合され、かつ中央位置には、長さを調整する調整ユニットが設置される。第二束帯は第一ベルト、第二ベルト、オスバックル及びメスバックルにより構成される。第一ベルトの一端には、第三継ぎ手が設けられて、他端には、メスバックルと結合される。第二ベルトの一端には、第四継ぎ手が設けられて、他端には、オスバックルと結合される。第二束帯の一端における第三継ぎ手により、スクリューがインナーエッジに挿入された後、シートの他側のねじ穴に締め付けられる。他端の第四継ぎ手は他のスクリューがインナーエッジに挿入された後、位置決めローラーの対応する末端に結合される。また、メスバックルのインナーエッジには、挿入溝及び弾性を持つ可動式バックルプレートが形成される。オスバックルはインナーエッジには、バックルホールが形成される。オスバックルの末端をメスバックルの挿入溝に入れる際、バックルプレートがバックルホールに掛けられることで固定される。位置決めローラーは使用者のももを押さえてくれるフレキシブル部材である。その二つ末端のインナーエッジには、ねじ穴を持つ締め付け部が形成される。スクリューで締め付けると、それぞれ第二、第四継ぎ手を位置決めローラーの両側に固定する。
【考案の効果】
【０００６】
そして、位置決めユニットを座椅子のそばに取り付けるという設計及び第二ベルトのワンタッチ着脱構造を用いることで、使用者が座椅子に座る際、位置決めユニットで、腿をしっかりとしめることができ、使用者の下半身をシートに固定するので、使用者が腹筋運動を行うことができる。その結果、腹筋運動機能を付加する座椅子のコストを削減するだけでなく、使用者が座椅子に座る際、もっと快適な感じをすると共に、シットアップ（腹筋運動）ももっと便利になる。
【図面の簡単な説明】
【０００７】
【図１】本案の組立立体図である。
【図２】本案の組立分解図である。
【図３】外層のシートクッション、バッククッションを外した状態での骨組み立体図である。
【図４】本案の構造を折り畳んだ後の状態を示す説明図である。
【図５】本案の構造で、腹筋運動実施時の例１図である。
【図６】本案の構造で、腹筋運動実施時の例２図である。
【図７】先行技術の立体組立図である。
【考案を実施するための形態】
【０００８】
図１−図６をご参照ください。本案の腹筋用の座椅子の構造改良はシート（１）、背部（２）及び位置決めユニット（３）で構成される。
【０００９】
シート（１）は骨組みの様相を呈する（図３参照）。アウターエッジには、シートクッション（１１）がはめ込まれる。前方の両側には、第一ヒンジ（７１）で、前止め（１２）が設けられる。また、前止め（１２）は角度をつけて折り畳むことができる。前止め（１２）の両側の適切箇所にあるねじ穴（１３）で、位置決めユニット（３）を取り付ける。シート（１）の後方に、第二ヒンジ（７２）で、背部（２）を取り付ける。なお、第一、第二ヒンジ（７１，７２）は既存の技術なので、詳しく説明する必要はない。
【００１０】
背部（２）は骨組みの様相を呈する（図３参照）。シート（１）に隣接する両側の下方に、第三ヒンジ（７３）を設置する。そのアウターエッジには、バッククッション（２１）がはめ込まれる。第二ヒンジ（７２）で、シート（１）を後方に組み立てる。また、第三ヒンジ（７３）の設置により、背部 （２）は角度をつけて傾斜に折り畳むことが可能である。折り畳んだあとで、利便に収納、運送できるだけでなく、使用者が背部 （２）の角度を調整することもできる。なお、第三ヒンジ（７３）は既存の技術なので、詳しく説明する必要はない。
【００１１】
位置決めユニット（３）は第一束帯（４０）、第二束帯（５０）及び位置決めローラー（６０）からなる。
【００１２】
第一束帯（４０）は帯の中央に、調整ユニット（４１）を設置し、長さの調整が可能である。その一端には、第一継ぎ手（４２）が設けられて、スクリュー（４４）が継ぎ手のインナーエッジに挿入された後、シート（１）の一側のねじ穴（１３）に 締め付けられる。他端には、第二継ぎ手（４３）が設けられて、他のスクリュー（４５）が継ぎ手のインナーエッジに挿入された後、位置決めローラー（６０）の対応する末端と結合される。
【００１３】
第二束帯（５０）は第一ベルト（５１）、第二ベルト（５２）、オスバックル（５３）及びメスバックル（５４）により構成される。第一ベルト（５１）の一端には、第三継ぎ手（５１１）が設けられて、他端には、メスバックル（５４）と結合される。第二ベルト（５２）中央に、調整ユニット（５２１）を設置し、長さの調整が可能である。その一端には、第四継ぎ手（５２２）が設けられて、他端には、オスバックル（５３）と結合される。第二束帯（５０）の一端における第三継ぎ手（５１１）により、スクリュー（５５）がインナーエッジに挿入された後、シート（１）の他側のねじ穴（１３）に 締め付けられる。他端の第四継ぎ手（５２２）は他のスクリュー（５６）をインナーエッジに挿入された後、位置決めローラー（６０）の対応する末端に 締め付けられる。また、メスバックル（５４）のインナーエッジに、挿入溝（５４１）及び弾性を持つ作動できるバックルプレート（５４２）が形成される。オスバックル（５３）は末端を前記挿入溝（５４１）に挿入することができ、インナーエッジに、バックルホール（５３１）が形成される。オスバックル（５３）の末端をメスバックル（５４）の挿入溝（５４１）に入れる際、バックルプレート（５４２）がバックルホール（５３１）に係合して固定されるので、ワンタッチ着脱できる構造になる。
【００１４】
位置決めローラー（６０）は使用者のももを押さえてくれるフレキシブル部材である。その二つ末端のインナーエッジには、ねじ穴を持つ締め付け部（６１）が形成される。スクリュー（４５，５６）で締め付けると、それぞれ第二、第四継ぎ手（４３、５２２）を位置決めローラー（６０）の両側に固定する。
【００１５】
本案の座椅子では、位置決めユニット（３）に取り合わせて、腹筋運動を行なう際、使用者がシート（１）にすわったあとで、まず、第一束帯（４０）、第二束帯（５０）をバックルする。その次、調整ユニット（４１、５２１）で、長さを調整する。そして、図５図６示すように、位置決めローラー（６０）が使用者のもも又はひざを押さえて縛ることにより、下半身をシート（１）に固定するので、使用者は安定に、腹筋運動を行なうことができる。使用しない際、第二束帯（５０）のオスバックル（５３）とメスバックル（５４）を分離させると、位置決めユニット（３）をそばに置くことが可能なので、使用者の座り、横臥、起立の不便を招かない。その結果、腹筋運動機能を付加する座椅子のコストを削減するだけでなく、使用者が座椅子に座る際、もっと快適な感じをすると共に、シットアップ（腹筋運動）ももっと便利になる。
【符号の説明】
【００１６】
１  シート
１１  シートクッション
１２ 前止め
１３ ねじ穴
２  背部
２１  バッククッション
３  位置決めユニット
４０  第一束帯
４１  調整ユニット
４２  第一継ぎ手
４３  第二継ぎ手
４４，４５  スクリュー
５０ 第二束帯
５１  第一ベルト
５１１ 第三継ぎ手
５２  第二ベルト
５２１  調整ユニット
５２２ 第四継ぎ手
５３  オスバックル
５３１ バックルホール
５４  メスバックル
５４１ 挿入溝
５４２ バックルプレート
５５，５６ スクリュー
６０  位置決めローラー
６１ 締め付け部
７１ 第一ヒンジ
７２ 第二ヒンジ
７３ 第三ヒンジ
【図１】
0003193499.tif 000003
【図２】
0003193499.tif 000004
【図３】
0003193499.tif 000005
【図４】
0003193499.tif 000006
【図５】
0003193499.tif 000007
【図６】
0003193499.tif 000008
【図７】
0003193499.tif 000009
【手続補正書】
【提出日】平成26年7月24日(2014.7.24)
【手続補正１】
【補正対象書類名】実用新案登録請求の範囲
【補正対象項目名】全文
【補正方法】変更
【補正の内容】
【実用新案登録請求の範囲】
【請求項１】
主にシート及び背部により構成される腹筋用の座椅子の構造であって、座椅子の両側にはそれぞれねじ穴が設けられて位置決めユニットの両端を固定しており、該位置決めユニットは第一束帯、第二束帯及び位置決めローラーからなり、第一束帯の一端には、第一継ぎ手が設けられて、スクリューが継ぎ手のインナーエッジに挿入された後、シートの一側のねじ穴に締め付けられており、他端には、第二継ぎ手が設けられ、位置決めローラーの対応する末端と結合され、かつ中央位置には、長さを調整する調整ユニットが設置され、第二束帯の一端には第三継ぎ手が設けられて、スクリューがインナーエッジに挿入された後、シートの他側のねじ穴に締め付けられており、他端には第四継ぎ手が設けられて、該位置決めローラーの対応する末端と結合され、その一端の中段には、長さを調整する調整ユニットが設置されており、位置決めローラーは使用者のももを押さえてくれる部材であり、その二つ末端には、締め付け部が形成され、第二継ぎ手、第四継ぎ手と結合することができ、使用者が座椅子に座る際、位置決めユニットにより、腿をしっかりとしめて、使用者の下半身をシートに固定するので、使用者が腹筋運動を行うことができることを特徴とする座椅子の構造。
【請求項２】
前記位置決めローラーの両端における締め付け部はねじ穴の構造であり、これにより、二本のスクリューが第二、第四継ぎ手のインナーエッジに挿入された後、対応する締め付け部に締め付けられて、第一束帯、第二束帯が位置決めローラーと結合することを特徴とする請求項１に記載の座椅子の構造。
【請求項３】
前記第二束帯は第一ベルト、第二ベルト、オスバックル及びメスバックルにより構成され、第一ベルトの一端には、第三継ぎ手が設けられ、他端はメスバックルと結合し、第二ベルトの一端には、第四継ぎ手が設けられ、他端はオスバックルと結合し、第二ベルトの中央に、調整ユニットを設置し、また、メスバックルのインナーエッジには、挿入溝及び弾性を持つ作動できるバックルプレートが形成され、オスバックルのインナーエッジには、バックルホールが形成されており、オスバックルをメスバックルの挿入溝に入れる際、バックルプレートがバックルホールに係合して固定され、第二ベルトの分離または結合によって、使用者が便利に位置決めユニットを操作して、腿を固定することを特徴とする請求項１に記載の座椅子の構造。